(57)【特許請求の範囲】
【請求項１】
縦方向に直列的に配置される方立の接続部において、上段側方立の中空部と下段側方立の中空部とに跨ってスリーブジョイント材が挿入されたカーテンウォール構造において、
前記方立接続部の上下方立間に少なくとも足場支持ボルトが挿入可能な間隙が形成され、前記スリーブジョイント材の室外面側に通孔が形成されるとともに、前記通孔形成部の内面側にナットが固定され、かつ前記スリーブジョイント材の室外側位置に、挿入ガイド孔を備えるとともに、上下部にそれぞれ方立に対する方立係止部を備えることにより、方立の通り芯調整部材を兼用する前記足場支持ボルトの挿入ガイド部材を備え、
カーテンウォールの室外面側から前記挿入ガイド孔を通して挿入した足場支持ボルトを、前記スリーブジョイント材の通孔に対し、螺入によって着脱可能に連結したことを特徴とするカーテンウォールにおける足場支持構造。
【発明の詳細な説明】
【０００１】
【発明の属する技術分野】
本発明は、カーテンウォールにおける足場支持構造に係り、詳しくは施工の効率化を図るとともに、意匠性を損なうことがない足場支持構造に関する。
【０００２】
【従来の技術】
例えば、中低層の建物をカーテンウォール工法により建設する際には、建物の周囲に足場が組まれるが、前記足場が転倒しないように建物等の固定物に対し連結保持する必要がある。かかる足場支持方法としては一般的に、建物の躯体に対し直接、足場支持ボルトの一端を固定するようにしていた。
【０００３】
しかしながら、建物躯体に対して直接、足場支持ボルトの支持を取る場合には、足場支持ボルトを取り付ける箇所のガラス（パネル）の嵌め込み作業を、足場解体後に室内側から行わなければならなかったり、室外側から行う場合にはゴンドラ等の吊り作業架台を使用しなければならず、作業性および作業効率の点で大きな問題となっていた。
【０００４】
そこで、実開昭57−165745号公報では方立の室外側面に足場支持ボルトの支持を取るようにした足場支持装置が開示されている。かかる足場支持装置は、図１０に示されるように、方立５０の室外面側部分に断面Ｃ字状（チャンネル状）の固定溝５０ａを形成しておき、足場支持用ボルト５１の頭部５１ａを前記固定溝５０ａ内に嵌入し、任意の位置において、ワッシャー５２を座としてナット５３により固定するようにするものである。
【０００５】
【発明が解決しようとする課題】
しかしながら、方立の室外面に足場支持ボルトを取り付ける従来例の場合は、確かにガラスの嵌め込み作業を後施工とする必要が無くなるものの、方立の断面形状が複雑化するとともに、足場支持ボルトを固定するための前記固定溝がそのまま室外面に残ってしまい、意匠性が悪くなるなどの問題があった。
【０００６】
そこで本発明の主たる課題は、足場支持ボルトに関わりなく、通常の施工手順に従ってガラス等の嵌め込み作業を行えるようにし施工の効率化を図るとともに、方立見付け面の意匠性を損なうことがないカーテンウォールにおける足場支持構造を提供することにある。
【０００７】
【課題を解決するための手段】
前記課題を解決するための請求項１に係る発明として、縦方向に直列的に配置される方立の接続部において、上段側方立の中空部と下段側方立の中空部とに跨ってスリーブジョイント材が挿入されたカーテンウォール構造において、
前記方立接続部の上下方立間に少なくとも足場支持ボルトが挿入可能な間隙が形成され、前記スリーブジョイント材の室外面側に通孔が形成されるとともに、前記通孔形成部の内面側にナットが固定され、かつ前記スリーブジョイント材の室外側位置に、挿入ガイド孔を備えるとともに、上下部にそれぞれ方立に対する方立係止部を備えることにより、方立の通り芯調整部材を兼用する前記足場支持ボルトの挿入ガイド部材を備え、
カーテンウォールの室外面側から前記挿入ガイド孔を通して挿入した足場支持ボルトを、前記スリーブジョイント材の通孔に対し、螺入によって着脱可能に連結したことを特徴とするカーテンウォールにおける足場支持構造が提供される。
【０００８】
上記請求項１に係る発明においては、方立の連結部の空間を利用しかつ方立を接合しているスリーブジョイント材に対して、足場支持ボルトを着脱自在に取り付けるようにした。従って、従来のように方立断面に特殊な形状部分を形成する必要がないとともに、ガラス（パネル）の未施工分を残すことなく、通常の手順に従って方立および無目によって形成される各開口枠に対しカーテンウォールガラス（パネル）の取付けを行うことができ、作業を効率的に行うことができるようになる。
【０００９】
なお、カーテンウォールの施工が完了した後、足場解体に伴い、前記足場支持ボルトは撤去されるが、ボルトを抜き取った部分にシールを充填することによって、外観には何ら影響が無くなる。
【００１０】
また、前記スリーブジョイント材の室外面側に通孔が形成されるとともに、前記通孔形成部の内面側にナットが固定され、前記足場支持ボルトが螺入によって着脱自在に連結されるようにしたため、簡単に連結できるとともに、撤去も容易に行えるようになる。
【００１１】
前記スリーブジョイント材の室外側位置に、挿入ガイド孔を備えるとともに、上下部にそれぞれ方立に対する方立係止部を備えることにより、方立の通り芯調整部材を兼用する前記足場支持ボルトの挿入ガイド部材を備えるようにしたため、足場支持ボルトを所定の部位に対してガイドしながら正確に挿入できるようになる。さらに、従来は、方立間に跨るジョイントピン等によって方立の通り芯を調整するようにしていたが、前記挿入ガイド部材を上下の方立間に跨るように設置することによって、前記ジョイントピン等を不要としながら方立の通り芯を調整することが可能となる。
【００１２】
【発明の実施の形態】
以下、本発明の実施の形態について図面を参照しながら詳述する。
【００１３】
〔カーテンウォール構造〕
図１はカーテンウォールの正面図、図２は図１のII−II線矢視図、図３は図１のIII−III線矢視図である。
【００１４】
カーテンウォール１は、建物躯体（床）の端部に固定された後述の方立支持金具１１によって、水平方向に所定の間隔をおいて上下方向に沿って方立２，２…を固定した後、この方立２，２間に上下方向に所定間隔で無目３，３…を架け渡して開口枠を形成し、各開口枠に対してガラス等のパネルを嵌合設置した構造となっている。
【００１５】
前記方立２は、詳細には図３に示されるように、相対的に室内側に位置する中空部方形断面の方立本体２Ａと、この方立本体２Ａの室外側面の中央位置に、部材長手方向に沿って連続するとともに、室外方向に突出して形成された方立突出片２Ｂと、この方立突出片２Ｂの先端部に逆Ｔ字状に形成された見付けフランジ部２Ｃとからなる形材である。
【００１６】
前記方立本体２Ａの室外がわ側面部分には凹部２ａが形成されるとともに、図示の例では前記方立突出片２Ｂの中間に断面Ｌ字状の係止部２ｂが形成され、これら凹部２ａ、係止部２ｂ間に跨って縦押縁５が取り付けられ、この縦押縁５と前記見付けフランジ２Ｃとによりガラス側縁嵌合溝ＭＶが形成され、ガラスＧがガラス面を跨いでガラス側縁嵌合溝ＭＶの室外側および室内側に夫々施工されたシール３０又はビード３１によって支持されている。また、方立２の室外側面と縦押縁５の室内面側との間には、図示例のように、気密・水密性能を向上させるために、縦方向に沿ってスポンジ、定形シール材等の気水密材３２を配設することができる。なお、前記縦押縁５の係止部は前記方立突出片２Ｂ以外に断面形状に応じて適宜決定される。
【００１７】
一方、前記無目３は、端面が方立２の方立突出片２Ｂに対面する位置に配置され、図２に示されるように、前記方立２の方立突出片２Ｂに固定された自重受けブラケット８によって方立２、２間に支持されるようになっている。前記無目３は中空状の無目本体３Ａと、この無目本体３Ａの室外側面から室外側に延在するとともに、先端部で上側に屈曲する室外側延在部３Ｂとからなり、前記室外側延在部３Ｂによりガラス下縁側嵌合溝ＭＤが形成されている。
【００１８】
また、前記室外側延在部３Ｂの下面側には横押縁７が取り付けられ、ガラス上縁側嵌合溝ＭＵが形成されるようになっている。ガラスＧは、側縁部と同様に、ガラス面を跨いでガラス上下縁嵌合溝ＭＤ、ＭＵの室外側および室内側に夫々配設されたシール３０又はビード３１によって支持されている。また、前記無目３の室外側面と方立２の見付けフランジ部２Ｃとの間にスペーサ１０を挟入し、無目３が室内外方向に移動しないように固定されている。
【００１９】
前記方立２の支持構造は、図４に示されるように、躯体Ｆの端部にアンカー金物１３が埋設固定されるとともに、このアンカー金物１３に頭部が嵌合支持され、かつネジ部を外部に突出させて設けられた固定用ボルト１５およびナット１５Ｂによりファスナー１４を固定し、一方、方立２の上部側にアングル状の取付金具１６をボルト１７，１７によって固定し、これらアングル状取付金具１６とファスナー１４との間にライナー金具１９を介在させた状態で固定用ボルト１８およびナット１８Ｂによって固定されている。また、前記アングル状取付金具１６の上部には雌ネジ筒１６ａが一体的に支持され、かつこの雌ネジ筒１６ａに螺入された上下方向調整ボルト２２の先端が前記ライナー金具１９より延在する上部フランジ片の水平面に当接することにより据付時に方立２の鉛直方向の建て付け位置が調整されるようになっている。
【００２０】
前記方立支持部は、図５に示すように２階毎、或いは各階毎に設けられ、方立支持部の直上に位置する方立の接続部では、相対的に下段側方立２Ｌの方立本体２Ａに下半部が挿入され、ボルト１７によって固定されたスリーブジョイント材２３の上半部が上段側方立２Ｕの方立本体２Ａに挿入されることによって方立２の通り芯が調整されるようになっている。
【００２１】
〔施工時における足場の支持構造〕
以下、前記カーテンウォールを施工する際の足場支持構造について、図５〜図９に基づいて詳述する。
【００２２】
図５に示されるように、建物の中・低層部分には建物周囲に沿って足場６が組み立てられる。この足場６は、カーテンウォールに一端が連結された足場支持ボルト１２、１２…により転倒しないように支持される。すなわち、縦方向に直列的に配置された方立２，２の接続部において、方立２，２同士を接続している前記スリーブジョイント材２３に対して前記足場支持ボルト１２の一端が連結されるようになっている。
【００２３】
具体的には、図６に示されるように、上段側方立２Ｕと、下段側方立２Ｌとの間には、少なくとも前記足場支持ボルト１２が挿入可能な間隙Ｓが形成された状態で両方立２Ｕ、２Ｌが接続されており、方立２，２同士を接続しているスリーブジョイント材２３には、その室外面側にボルト通孔２３ａが形成されるとともに、前記ボルト通孔２３ａ形成部の内面側にナット２４が固定されている。なお、前記ナット２４は、ベースプレート２６に対して溶接付けされ、前記ベースプレート２６がビス２７、２７によってスリーブジョイント材２３の内面側に固定されている。前記ナット２４の取付けは、カーテンウォール施工に先行して前もって行っておく。
【００２４】
また、前記スリーブジョイント材２３の室外側位置には、方立２，２の接続時に、前記足場支持ボルト１２をカーテンウォールの室外側から挿入する際のガイドを行う挿入ガイド部材２５を設けておくのが望ましい。前記挿入ガイド部材２５は、詳細には図８に示されるように、リング状の挿入ガイド孔２５ａを備えるとともに、上下部にそれぞれＵ字状の方立係止部２５ｂ、２５ｃを備えるピース状部材であり、同図に示されるように、下段側方立２Ｌに上段側方立２Ｕを接続する前に、下段側方立２Ｌの方立突出部２Ｂの上端に下部側方立係止部２５ｃを嵌合させるようにして装着しビス２８によって固定した後、上段側方立２Ｕの方立突出部２Ｂの下端を上部側方立係止部２５ｂに嵌合させるようにしながら接続する。前記挿入ガイド部材２５は前記下段側方立２Ｌと上段側方立２Ｕとに跨って設けられることにより、方立２，２の室外側部分の通り芯を調整する役目も担っている。前記挿入ガイド部材２５は本例では１つだけ設けるようにしたが、２個以上設けるようにしてもよい。
【００２５】
また、前記挿入ガイド部材２５は、必ずしも挿入ガイド孔２５ａを有する必要がないとともに、別途方立２，２間に跨ってジョイントピン等の通り芯調整部材を設ける場合には、必ずしも上下に隣接する方立２，２間に跨って設けられる必要はない。例えば、図９に示されるように、半円リング状の挿入ガイド部２５ｄの下部側に方立係止部２５ｃを設けたものであってもよい。
【００２６】
前記足場支持ボルト１２は、足場６の構築に伴って、カーテンウォールの室外面側から前記挿入ガイド部材２５の挿入ガイド孔２５ａを通し、スリーブジョイント材２３のボルト通孔２３ａに先端をあてがったならば、軸芯回りに回転させナット２４に螺入することによって連結される。足場支持ボルト１２の室外側端部は図６に示されるように、例えば足場６の定着板２６を跨いで両側にナット２７，２７を螺設することによって定着され、足場６を堅固に支持する。
【００２７】
カーテンウォールの施工が完了し、足場６を解体する際には、足場支持ボルト１２を螺退させる方向に回転させることによって前記スリーブジョイント材２３から抜き取ったならば、図４に示されるように、方立２、２の間隙部であってかつ見付けフランジ２Ｃ部分にシール９を充填し足場支持ボルト１２の設置箇所を封鎖するようにする。なお、前記スリーブジョイント材２３内に設けたナット２４および挿入ガイド部材２５はそのまま残置される。
【００２８】
【発明の効果】
以上詳説のとおり本発明によれば、足場支持ボルトに関わりなく、通常の施工手順に従って未施工分を残すことなく、ガラス等の嵌め込み作業が行えるようになるため、施工の効率化が図れるようになるとともに、方立の断面形状も制約を受けないため意匠性を損なうことがない。
【図面の簡単な説明】
【図１】  カーテンウォールの正面図である。
【図２】  そのII−II線矢視図である。
【図３】  そのIII−III線矢視図である。
【図４】  方立支持部を示す側面図である。
【図５】  足場取付け状態を示す縦断面図である。
【図６】  足場支持ボルト取付け部を示す要部拡大縦断面図である。
【図７】  その横断面図（図６のVII−VII線矢視図）である。
【図８】  挿入ガイド部材２５の取付け要領を示す斜視図である。
【図９】  挿入ガイド部材２５の変形例を示す斜視図である。
【図１０】  方立の室外側面に足場支持ボルトを連結するようにした従来の足場支持装置を示す横断面図である。
【符号の説明】
１…カーテンウォール、２…方立、２ａ…凹部、３…無目、５…縦押縁、６…足場、７…横押縁、８…自重受けブラケット、９…シール、１１…方立支持金具、１２…足場支持ボルト、２３…スリーブジョイント材、２３ａ…ボルト通孔、２４…ナット、２５…挿入ガイド部材、２５ａ…挿入ガイド孔、２５ｂ・２５ｃ…方立係止部
【図１】
0003982681.tif 000002
【図２】
0003982681.tif 000003
【図３】
0003982681.tif 000004
【図４】
0003982681.tif 000005
【図５】
0003982681.tif 000006
【図６】
0003982681.tif 000007
【図７】
0003982681.tif 000008
【図８】
0003982681.tif 000009
【図９】
0003982681.tif 000010
【図１０】
0003982681.tif 000011